(57)【特許請求の範囲】
【請求項１】
床材の一方の木口面に凸条が形成されるとともに他方の木口面に凹溝が形成され、一の床材の凸条を隣接する他の床材の凹溝に嵌合することによって接合するように構成された床材において、凸条の根元上側から床材表面までを雄実上側傾斜面とするとともに、凹溝の上縁部から表面側に該雄実上側傾斜面に対応した雌実上側傾斜面を設け、該雌実上側傾斜面と床材表面との間に面取り部を設け、一方、凸条の根元下側から床材裏面側に向けて下向きの雄実下側傾斜面を設け、一の床材の凸条を隣接する他の床材の凹溝に嵌合することによって接合したときに凹溝の下縁角部が該雄実下側傾斜面に当接し、この状態で雄実上側傾斜面と雌実上側傾斜面との間に間隔が形成されるとともに雄実の凸条および雌実の凹溝の下側にも間隔が形成されることを特徴とする床材。
【請求項２】
雄実下側傾斜面の下方に雄実下方垂直面が設けられるとともに、凹溝の下縁角部の下方に雌実下方垂直面が設けられ、一の床材の凸条を隣接する他の床材の凹溝に嵌合することによって接合したときに雄実下方垂直面と雌実下方垂直面との間に間隔が形成されるように構成されてなることを特徴とする請求項１記載の床材。
【請求項３】
請求項１または２記載の床材を凸条と凹溝との嵌合を介して接合する接合構造であって、一の床材の凸条が隣接する他の床材の凹溝に嵌合されるとともに凹溝の下縁角部が該雄実下側傾斜面に当接しており、この状態で雄実上側傾斜面と雌実上側傾斜面との間に斜めに間隔が形成されるとともに雄実の凸条および雌実の凹溝の下側にも間隔が形成されることを特徴とする床材。
ことを特徴とする床材の接合構造。
【発明の詳細な説明】
【０００１】
【発明の属する技術分野】
本発明は床材およびその接合構造に関する。
【０００２】
【従来の技術】
従来より、木質板で構成された床材が住宅の床面に広く施工されており、一般に図９に示すような接合構造が採用されている。すなわち、床材Ａの一方の木口面には凸条Ｂが形成されるとともに、他方の木口面には凸条Ｂを嵌合する凹溝Ｃが形成され、これら凸条Ｂおよび凹溝Ｃの上下は垂直面とされて互いに接合しており、接合部に臨む上面角部には面取り部Ｄ１，Ｄ２が形成され、床材Ａ，Ａが接合された状態においてこれら面取り部Ｄ１，Ｄ２による浅い溝Ｅが装飾溝として床面に現出されるように構成されている。
【０００３】
【本発明が解決しようとする課題】
木質板で構成される床材は吸放湿により寸法変化を生ずるため、収縮によって床材同士の接合部に隙間（目隙）Ｆが生じることがあった。目隙Ｆは、床材の表面側から凸条Ｂの上面に至る深さを有し且つ床材の全幅に亘って幅広に形成されるため、面取り部Ｄ１，Ｄ２による浅い溝Ｅとは形状および寸法が顕著に異なるため歴然に相違するものとして観察され、美観を大きく損なうものとなっていた。
【０００４】
また、床材が膨張したときには、床材同士の接合部付近の表面が上方に浮き上がってしまい（突き上げ）、美観を低下させるとともに歩行の支障となる等の問題を引き起こしていた。
【０００５】
【課題を解決するための手段】
本発明は、上記従来技術の問題点を解消することを目的とし、より具体的には、床材が吸放湿により膨張収縮した場合であっても接合部における美観や歩行感の低下を引き起こすことのない新規な接合構造を提供することを目的としている。
【０００６】
この目的を達成するため、請求項１にかかる本発明は、床材の一方の木口面に凸条が形成されるとともに他方の木口面に凹溝が形成され、一の床材の凸条を隣接する他の床材の凹溝に嵌合することによって接合するように構成された床材において、凸条の根元上側から床材表面までを雄実上側傾斜面とするとともに、凹溝の上縁部から表面側に該雄実上側傾斜面に対応した雌実上側傾斜面を設け、該雌実上側傾斜面と床材表面との間に面取り部を設け、一方、凸条の根元下側から床材裏面側に向けて下向きの雄実下側傾斜面を設け、一の床材の凸条を隣接する他の床材の凹溝に嵌合することによって接合したときに凹溝の下縁角部が該雄実下側傾斜面に当接し、この状態で雄実上側傾斜面と雌実上側傾斜面との間に間隔が形成されるとともに雄実の凸条および雌実の凹溝の下側にも間隔が形成されることを特徴としている。
【０００８】
請求項２にかかる本発明は、請求項１または２記載の床材において、雄実下側傾斜面の下方に雄実下方垂直面が設けられるとともに、凹溝の下縁角部の下方に雌実下方垂直面が設けられ、一の床材の凸条を隣接する他の床材の凹溝に嵌合することによって接合したときに雄実下方垂直面と雌実下方垂直面との間に間隔が形成されるように構成されてなることを特徴としている。
【０００９】
請求項３にかかる本発明は、請求項１または２記載の床材を凸条と凹溝との嵌合を介して接合する接合構造であって、一の床材の凸条が隣接する他の床材の凹溝に嵌合されるとともに凹溝の下縁角部が該雄実下側傾斜面に当接しており、この状態で雄実上側傾斜面と雌実上側傾斜面との間に斜めに間隔が形成されるとともに雄実の凸条および雌実の凹溝の下側にも間隔が形成されることを特徴としている。
【００１０】
【発明の実施の形態】
図１は本発明の一実施形態による床材１０を示し、無垢材、木質繊維板、パーティクルボード、単板積層材、合板、集成材等の木質材の単体または任意複合板として形成されている。
【００１１】
床材１０の四周木口面には雄実１１および雌実１６が対向して形成されており、これら雄実１１および雌実１６の嵌合を介して床材同士が接続されるように構成されている。
【００１２】
雄実１１は凸条１２を有し、凸条１２の根元上側から床材表面にかけて雄実上側傾斜面１３が形成されている。また、凸条１２の根元下側には、僅かな領域に形成された雄実下側傾斜面１４を介して、床材裏面に至る雄実下方垂直面１５が形成されている。
【００１３】
雌実１６は凸条１２を嵌合可能な凹溝１７を有し、凹溝１７の上縁部から表面側には雄実上側傾斜面１３に対応した傾斜角度を有する雌実上側傾斜面１８が形成され、この雌実上側傾斜面１８と床材表面との間には面取り部１９が形成されている。また、凹溝１７の下縁角部２０と床材裏面との間には垂直面２１が設けられている。
【００１４】
図２は上記構成を有する床材１０ａ，１０ｂを、床材１０ａの凸条１２を床材１０ｂの凹溝１７に嵌合させて得た接続部を示しており、床材１０ｂの凹溝下縁角部２０が床材１０ａの雄実下側傾斜面１４に当接した状態で床材１０ａ，１０ｂが位置決めされ、この状態において、床材１０ａの雄実上側傾斜面１３と床材１０ｂの雌実上側傾斜面１８との間にこれら傾斜面と平行に斜めに延長する間隔２２が形成されるように、各部の形状および寸法が設定されている。これら床材１０ａ，１０ｂ同士の接合部の表面側には、床材１０ａの雄実上側傾斜面１３と床材１０ｂの面取り部１９とによる溝２３が形成される。また、床材１０ｂの凹溝下縁角部２０が床材１０ａの雄実下側傾斜面１４に当接していることから、これら床材の凸条１２および凹溝１７の裏面側には所定幅の間隔２４が形成されている。
【００１５】
従来技術に関連して既述したように、木質材で構成された床材は吸放湿により寸法変化して膨張収縮するが、図１に示す床材を用いて図２に示すような接続構造とした場合は、床材の膨張収縮による美観の低下や歩行感の悪化を効果的に防止することができる。
【００１６】
すなわち、床材１０ａ，１０ｂが収縮すると、図３に示すように、床材１０ａの雄実上側傾斜面１３と床材１０ｂの雌実上側傾斜面１８との間の間隔２２が拡がって間隔２２’となるが、従来技術のように凸条の上面が床材表面側に露出することがなく、雄実上側傾斜面１３が若干奥方まで見える程度であるため、極端に深い溝として観察されることはなく、しかも、当初の接合部において表面側に観察される断面三角形状の溝２３が若干大きな溝２３’として見える程度でその本来的な全体形状は不変であるため、美観の低下をほとんど生じさせない。
【００１７】
なお、上記作用をより効果的に発揮させるため、雄実上側傾斜面１３は雌実部１６における面取り部１９と同色に塗装することが好ましい。これにより雄実上側傾斜面１３と面取り部１９との色違いがなくなり、床材の膨張によって図３に示すように拡大した間隔２２’となった場合にも当初の溝２３と同様の溝として看取されるので、美観を低下させることがない。さらに、凸条１２の上面にも同色の塗装を施しておくと、図３の間隔２３’がさらに拡がって凸条１２の上面が床材表面側に露出することになっても、美観の低下を最小限に止めることができる。
【００１８】
反対に、床材１０ａ，１０ｂが膨張したときは、図４に示すように、床材１０ａの雄実下側傾斜面１４に当接している床材１０ｂの凹溝下縁角部２０が圧縮されて潰れる（符号２０’で示す）ことによって床材膨張を吸収する。あるいは、凹溝下縁角部２０が雄実下側傾斜面１４に嵌入することによって床材膨張を吸収する。この作用による床材膨張吸収量は、床材１０ａの雄実上側傾斜面１３と床材１０ｂの雌実上側傾斜面１８との間の間隔２２、または、床材１０ａの裏面側垂直面１５と床材１０ｂの裏面側垂直面２１との間の間隔２４に依存する。床材膨張吸収時に損傷する箇所（雄実下側傾斜面１４および／または凹溝下縁角部２０）はいずれも床材１０ａ，１０ｂの裏面側であるので、表面側からの美観を何ら損なうことがなく、床材の使用において支障を来すこともない。
【００１９】
また、この実施形態によれば、床材１０ａ，１０ｂが膨張した場合であっても、これら床材の垂直面１５，２１同士が当接することによってそれ以上の膨張が抑制されるため、雄実部１１の凸条１２が雌実部の凹溝１７内に過度に嵌入することがなく、凸条１２の損傷を未然に防止することができる。
【００２０】
図５は本発明の他の実施形態による床材１０’を示す。この床材１０’が図１の床材１０と異なる点は、雄実下側傾斜面１４が凸条１２の根元下側から床材裏面に至る傾斜面１４’として形成されていて垂直面１５が存在しない点であり、その他の構成については図１の床材１０と実質的に同一であって同一の符号が付されている。
【００２１】
図６は上記構成を有する床材１０ａ’，１０ｂ’を、床材１０ａ’の凸条１２を床材１０ｂ’の凹溝１７に嵌合させて得た接続部を示しており、床材１０ｂ’の凹溝下縁部２０が床材１０ａ’の雄実下側傾斜面１４’に当接した状態で床材１０ａ’，１０ｂ’が位置決めされており、この状態において、床材１０ａ’の雄実上側傾斜面１３と床材１０ｂ’の雌実上側傾斜面１８との間にこれら傾斜面と平行に斜めに延長する間隔２２が形成されるように、各部の形状および寸法が設定されている。これら床材１０ａ’，１０ｂ’同士の接合部の表面側には、床材１０ａ’の雄実上側傾斜面１３と床材１０ｂ’の面取り部１９とによる溝２３が形成される。また、床材１０ｂ’の凹溝下縁部２０が床材１０ａ’の雄実下側傾斜面１４’に当接していることから、これら床材の凸条１２および凹溝１７の裏面側には断面三角形状の間隔２４’が形成されている。
【００２２】
図５に示す床材を用いて図２に示すような接続構造とした場合も、前述の実施形態の場合と同様、床材の膨張収縮による美観の低下や歩行感の悪化を効果的に防止することができる。
【００２３】
すなわち、床材１０ａ’，１０ｂ’が収縮すると、図７に示すように、床材１０ａ’の雄実上側傾斜面１３と床材１０ｂ’の雌実上側傾斜面１８との間の間隔２２が拡がって間隔２２’となるが、従来技術のように凸条の上面が床材表面側に露出することがなく、雄実上側傾斜面１３が若干奥方まで見える程度であるため、極端に深い溝として観察されることはなく、しかも、当初の接合部において表面側に観察される断面三角形状の溝２３が若干大きな溝２３’として見える程度でその本来的な全体形状は不変であるため、美観の低下をほとんど生じさせない。雄実上側傾斜面１３、さらにはこれに連続する凸条１２の上面を雌実部１６における面取り部１９と同色に塗装することによって上記作用がより効果的に発揮されることは、図３に関連して既述した通りである。
【００２４】
反対に、床材１０ａ’，１０ｂ’が膨張したときは、図８に示すように、床材１０ａ’の雄実下側傾斜面１４’に当接している床材１０ｂ’の凹溝下縁角部２０が圧縮されて潰れる（符号２０’で示す）ことによって床材膨張を吸収する。あるいは、凹溝下縁角部２０が雄実下側傾斜面１４’の当接部に嵌入することによって床材膨張を吸収する。この作用による床材膨張吸収量は、床材１０ａの雄実上側傾斜面１３と床材１０ｂの雌実上側傾斜面１８との間の間隔２２に依存する。床材膨張吸収時に損傷する箇所（雄実下側傾斜面１４’および／または凹溝下縁角部２０）はいずれも床材１０ａ’，１０ｂ’の裏面側であるので、表面側からの美観を何ら損なうことがなく、床材の使用において支障を来すこともない。
【００２５】
【発明の効果】
本発明によれば、床材の収縮によって隣接する床材との間に隙間が発生した場合であっても、従来のように雄実凸条の上面の水平部分が床材表面側に露出せず、凸条の表面側に形成された傾斜面が露出するだけであるので、面取り部との間に形成される溝の深さおよび大きさが若干大きくなって見える程度でほとんど違和感のない外観変化に止まり、意匠性を大きく低下させることがない。
【００２６】
また、雄実部における上側傾斜面と雌実部における上側傾斜面との間にあらかじめ間隔を設けた状態で施工されるので、床材が膨張したときには該間隔で膨張量を吸収することができ、接合部において床材の突き上げが生じて歩行感を阻害するようなことがない。
【００２７】
また、床材施工時には、雄実下側傾斜面に雌実部の凹溝下縁を当接させることによって床材同士の間に適当な間隔をあけた状態で位置決めすることができ、特別な治具を用いずに容易に施工することができる。
【図面の簡単な説明】
【図１】本発明の一実施形態による床材の側面図である。
【図２】図１の床材を用いた接合構造を示す図である。
【図３】図２の接合構造において床材が収縮した場合の説明図である。
【図４】図２の接合構造において床材が膨張した場合の説明図である。
【図５】本発明の他の実施形態による床材の側面図である。
【図６】図５の床材を用いた接合構造を示す図である。
【図７】図６の接合構造において床材が収縮した場合の説明図である。
【図８】図６の接合構造において床材が膨張した場合の説明図である。
【図９】従来の床材接合構造を示す図である。
【図１０】この従来の接合構造において床材が収縮した場合の説明図である。
【符号の説明】
１０，１０ａ，１０ｂ，１０’，１０ａ’，１０ｂ’  本発明の床材
１１  雄実部
１２  凸条
１３  雄実上側傾斜面
１４，１４’  雄実下側傾斜面
１５  雄実下方垂直面
１６  雌実部
１７  凹溝
１８  雌実上側傾斜面
１９  面取り部
２０  凹溝下縁角部
２１  雌実下方垂直面
２２  雄実上側傾斜面と雌実上側傾斜面との間の間隔
２２’  床材収縮により拡がった間隔
２３  雄実上側傾斜面と雌実面取り部との間の溝
２３’  床材収縮により拡がった溝
２４  雄実下方垂直面と雌実下方垂直面との間の間隔
【図１】
0003682441.tif 000002
【図２】
0003682441.tif 000003
【図３】
0003682441.tif 000004
【図４】
0003682441.tif 000005
【図５】
0003682441.tif 000006
【図６】
0003682441.tif 000007
【図７】
0003682441.tif 000008
【図８】
0003682441.tif 000009
【図９】
0003682441.tif 000010
【図１０】
0003682441.tif 000011